(57)【要約】【課題】仕切板の運搬や取り扱い、施工作業等を容易に行なうことができるようにしたオープンショーケースを提供する。【解決手段】外箱２と内箱３とからなるショーケース本体４の内部に、前面が解放する冷蔵室５を形成し、この冷蔵室５に取付けた左右の棚板１２、１３間に、冷蔵室５内を左右に仕切る仕切板１４を設けてなるオープンショーケースにおいて、前記仕切板１４を、手摺り部１５の上端とほぼ同位置で分割された上部仕切板１４ａと下部仕切板１４ｂとからなるものとし、かつ上部仕切板１４ａと下部仕切板１４ｂとを、それらの対向部に設けた連結部材１６により、上部仕切板１４ａが前後方向に移動しうるように連結する。【選択図】図１
2010183931.tif 000002
【特許請求の範囲】
【請求項１】
外箱と内箱とからなるショーケース本体の内部に、前面が解放する冷蔵室を形成し、この冷蔵室に取り付けた左右の棚板間に、前記冷蔵室内を左右に仕切る仕切板を設けてなるオープンショーケースにおいて、
前記仕切板を、上下方向の中間部で分割された上部仕切板と下部仕切板とからなるものとし、かつ上部仕切板と下部仕切板とを、それらの対向部に設けた連結部材により連結したことを特徴とするオープンショーケース。
【請求項２】
仕切板の分割位置を、ショーケース本体における前下部の上端とほぼ同位置とし、かつ上部仕切板が下部仕切板に対して前後方向に移動し得るように、連結部材により連結したことを特徴とする請求項１に記載のオープンショーケース。
【請求項３】
連結部材を、仕切板の前後寸法とほぼ等しい前後寸法の正面視Ｈ形断面をなすものとし、その下部の凹溝に下部仕切板の上端部を嵌着するとともに、上部の凹溝に、上部仕切板の下端部を前後に移動可能に嵌合し、前記連結部材の前端部に、上部仕切部材の下端を支持して回転するローラを設けたことを特徴とする請求項１または２に記載のオープンショーケース。
【発明の詳細な説明】
【技術分野】
【０００１】
本発明は、スーパーマーケットやコンビニエンスストア等において、冷蔵または冷凍商品を陳列するオープンショーケースに関わり、特に互いに隣接する棚板間に配設される仕切板の構造に関する。
【背景技術】
【０００２】
この種のオープンショーケースに使用される仕切板は、互いに隣接して設置される複数のオープンショーケースや冷蔵室内の互いに隣接する棚板に、保冷温度等の異なる商品を陳列する際において、冷気が左右方向に流動するのを遮断するために取り付けられるもので、従来においては、例えば、特許文献１に記載されているように、隣接するオープンショーケースとの間の隙間に、内箱の断面形状より上下寸法の大きな仕切板を着脱可能に取り付けたものが知られている。
【先行技術文献】
【特許文献】
【０００３】
【特許文献１】特開平６−１８５８５３号公報
【発明の概要】
【発明が解決しようとする課題】
【０００４】
前記特許文献１に記載されているオープンショーケースのように、内箱の断面形状より上下寸法の大きな仕切板を使用すると、その運搬や取り扱い、施工時の作業が面倒となる。また、内箱の断面形状より上下寸法の大きな１枚の仕切板では、冷蔵室内に仕切板を着脱容易に取り付けることは難しい。すなわち、冷蔵室内に仕切板を取り付ける場合には、仕切板を予め取り付けてから、この仕切板を挟むようにして左右の棚板を取り付ける必要があるため、棚板を取り付けてしまった後では、仕切板を簡単に取り外すことができないからである。この際に仕切板を着脱するときには、隣接する棚板を一旦取り外さなければならず、その作業が面倒となる。
【０００５】
本発明は、このような問題点に着目してなされたもので、仕切板の運搬や取り扱い、施工作業等を容易としうるとともに、仕切板を、棚板を取り外すことなくショーケース本体の前方から容易に着脱することができるようにしたオープンショーケースを提供することを目的としている。
【課題を解決するための手段】
【０００６】
前記課題を解決するために、本発明の請求項１に記載のオープンショーケースは、
外箱と内箱とからなるショーケース本体の内部に、前面が解放する冷蔵室を形成し、この冷蔵室に取り付けた左右の棚板間に、前記冷蔵室内を左右に仕切る仕切板を設けてなるオープンショーケースにおいて、
前記仕切板を、上下方向の中間部で分割された上部仕切板と下部仕切板とからなるものとし、かつ上部仕切板と下部仕切板とを、それらの対向部に設けた連結部材により連結したことを特徴としている。
この特徴によれば、冷蔵室内に設けられる仕切板を、上下方向の中間部で分割して、上部仕切板と下部仕切板とからなるものとしたので、仕切板の運搬や取り扱い、施工作業等が容易となる。
【０００７】
本発明の請求項２に記載のオープンショーケースは、請求項１に記載のオープンショーケースであって、
仕切板の分割位置を、ショーケース本体における前下部の上端とほぼ同位置とし、かつ上部仕切板が下部仕切板に対して前後方向に移動し得るように、連結部材により連結したことを特徴としている。
この特徴によれば、上部仕切板を、下部仕切板に対して前後方向に移動させて、ショーケース本体の前方より容易に着脱することができ、しかも、上部仕切板を取り外した後、下部仕切板も容易に取り外すことができるので、左右の棚板を取り外す必要がない。従って、棚板への商品の陳列形態の変更等に迅速に対応しうるとともに、オープンショーケースの施工やメンテナンス等も容易となる。また、連結部材は、ショーケース本体における前下部の上端とほぼ同位置にあるので、連結部材が目立たず、体裁がよくなる。
【０００８】
本発明の請求項３に記載のオープンショーケースは、請求項１または２に記載のオープンショーケースであって、
連結部材を、仕切板の前後寸法とほぼ等しい前後寸法の正面視Ｈ形断面をなすものとし、その下部の凹溝に下部仕切板の上端部を嵌着するとともに、上部の凹溝に、上部仕切板の下端部を前後に移動可能に嵌合し、前記連結部材の前端部に、上部仕切部材の下端を支持して回転するローラを設けたことを特徴としている。
この特徴によれば、上下の仕切板が厚さ方向に位置ずれするのが防止されるとともに、上部仕切板を、下部仕切板に対し前後方向に安定的に移動させて着脱することができ、ローラを用いることで、重量のある上部仕切板であっても、前後方向に軽い力で簡単に移動させることができる。
【図面の簡単な説明】
【０００９】
【図１】本発明のオープンショーケースの概略縦断側面図である。
【図２】図１のII−II線に沿う拡大縦断正面図である。
【図３】上部仕切板と下部仕切板との連結部の一部切欠き拡大側面図である。
【図４】同じく、上部仕切板を持ち上げて前方に移動させた状態の側面図である。
【図５】図３のV−V線に沿う拡大縦断正面図である。
【発明を実施するための形態】
【００１０】
本発明に係るオープンショーケースを実施するための形態を実施例に基づいて以下に説明する。
【実施例】
【００１１】
実施例に係るオープンショーケースにつき、図１から図５を参照して説明する。図１は、本発明のオープンショーケースの概略縦断側面図で、このオープンショーケース１は、前面(以下、図１の左方を前として説明する)が解放されたほぼコ字形断面の断熱構造の外箱２と、その内方の、同じく前面が解放されたほぼコ字形断面の内箱３とからなるショーケース本体４を備え、その内部空間は、前面が解放された冷蔵室５となっている。
【００１２】
外箱２と内箱３との間のコ字状空間は、通風路６となっており、この通風路６内に設けられた冷却装置と送風機(いずれも図示略)により上方に送られた冷気は、ショーケース本体４の前端上部の冷気吹出口７から、ショーケース本体４の前下部上端の吸込口８に向かって吹き出され、冷蔵室５の前面の解放面に、冷気のエアカーテンが形成されるようになっている。
【００１３】
図２の拡大縦断正面図にも示すように、内箱３の背面板３ａに上下方向に列設された左右の係合孔９には、左右複数のブラケット１０における後端の上下複数の係合爪１１が係合され、左右に対向する上下のブラケット１０には、保冷商品陳列用の上下複数段の棚板１２が、左右複数列取り付けられている。また、内箱３の底部の前面板３ｂと背面板３ａとの間にも、棚板１３が、上下位置変更可能に取り付けられている。
【００１４】
互いに隣接する上方の棚板１２、１２と、下部の棚板１３、１３との間の隙間には、下端が内箱３の底面板３ｃの上面と当接し、かつ上端が内箱３の上端と近接する上下寸法とされた、冷蔵室５内を左右に仕切る透明なアクリル等よりなる仕切板１４が装着されている。この仕切板１４は、ショーケース本体４における前下部の上面に取り付けた左右方向を向く手摺り部１５の上端と同位置か、若干上方位置で分割された上部仕切板１４ａと下部仕切板１４ｂとからなり、上下の仕切板１４ａ、１４ｂの対向部同士は、前後方向を向く連結部材１６により連結されている。
【００１５】
連結部材１６は、正面視上向きコ字状断面の上部部材１７と下向きコ字状断面の下部部材１８とからなり、それらの水平片１７ａ、１８ａの対向面同士をスポット溶接等により結合することにより、連結部材１６は正面視Ｈ形断面に形成されている。連結部材１６の下部の凹溝１９には、下部仕切板１４ｂの上端部が嵌着され、また上部の凹溝２０には、上部仕切板１４ａの下端部が前後方向に移動可能に嵌合されている。
【００１６】
図３ないし図５に示すように、上部部材１７と下部部材１８の水平片１７ａ、１８ａの前端部は、前後方向に所要寸法だけ切り欠いてあり、その切り欠いた部分には、溝付きローラ２１が、その左右方向を向く枢軸２１ａを、下部部材１８の両側片１８ｂ、１８ｂの上端部により枢支することにより、回転自在に収容されている。
【００１７】
この溝付きローラ２１の凹溝の上面により、上部仕切板１４ａの下端部に形成された前後方向を向く狭幅部２２の下端が支持され、上部仕切板１４ａを軽い力で容易に前後方向に移動させることができるようになっている。下部仕切板１４ｂの前端部の上部には、溝付きローラ２１と干渉しないように、切欠部２３が形成されている。
【００１８】
上部仕切板１４の狭幅部２２の前端部下面には、切欠き段部２４が形成され、この切欠き段部２４は、図３に示すように、上部仕切板１４ａを最後限の正規位置まで移動させたとき、溝付きローラ２１の後面上部に係止され、前方に妄りに移動しないようにしてある。上部仕切板１４ａを前方に移動する際は、図４に示すように、前端部を若干持ち上げて前方に移動させればよい。
【００１９】
以上説明したように、前記実施例のオープンショーケース１においては、冷蔵室５内において、隣接する棚板１２、１３間に設けられる仕切板１４を、ショーケース本体４における前下部の上面に取り付けた左右方向を向く手摺り部１５の上端と同位置か、若干上方位置において、上部仕切板１４ａと下部仕切板１４ｂとに分割し、かつ上部仕切板１４ａと下部仕切板１４ｂとを、上部仕切板１４ａが下部仕切板１４ｂに対して前後方向に移動しうるように、連結部材１６により連結しているので、左右の棚板１２、１３を取り外すことなく、上部仕切板１４ａを、ショーケース本体４の前方より冷蔵室５内に容易に装着したり、取り外したりすることができる。
【００２０】
また、上部仕切板１４ａを取り外した状態で、下部仕切板１４ｂを、左右の棚板１３間に、上方より容易に挿入したり、取り外したりすることができる。従って、棚板１２、１３への商品の陳列形態の変更等に迅速に対応しうるとともに、オープンショーケース１の施工やメンテナンス等も容易となる。
【００２１】
また、上部仕切板１４ａを、連結部材１６の前端部に設けた溝付きローラ２１により支持して前後方向に移動させうるので、重量のある上部仕切板１４ａであっても、軽い力で前後方向に簡単に移動することができる。
【００２２】
また、上部仕切板１４ａを後限位置まで移動させると、その前端部の下面に設けた切欠き段部２４が、溝付きローラ２１の後面上部に係止して、前方に移動するのが防止されるので、商品を補充したり取り出したりする際に、上部仕切板１４ａが定位置から簡単に前方に移動することはない。
【００２３】
以上、本発明の実施例を図面により説明してきたが、具体的な構成はこれら実施例に限られるものではなく、本発明の要旨を逸脱しない範囲における変更や追加があっても本発明に含まれる。
【００２４】
尚、前記実施例においては、連結部材１６が目立たないように、仕切板１４の分割位置を、ショーケース本体４における前下部の上面に取り付けた左右方向を向く手摺り部１５の上端と同位置か、若干上方位置として、連結部材１６が目立たないようにしているが、仕切板１４の分割位置は、手摺り部１５の上端よりも上方の中間位置とすることもできる。
【００２５】
また、溝付きローラ２１の代わりに、通常の円形ローラを用いてもよく、円形ローラを用いた際には、上部仕切板１４ａの下端部に狭幅部２２を形成する必要がない。
【００２６】
また、溝付きローラ２１を用いた場合であっても、上部仕切板１４ａ全体が狭幅部２２を同じ幅に形成されていれば、必ずしも狭幅部２２を形成する必要はない。
【００２７】
また、このようなローラを省略して、上部仕切板１４ａを、単に、連結部材１６の上部の凹溝２０に摺動可能に嵌合してもよい。
【符号の説明】
【００２８】
１                オープンショーケース
２                外箱
３                内箱
３ａ              背面板
３ｂ              前面板
３ｃ              底面板
４                ショーケース本体
５                冷蔵室
６                通風路
７                冷気吹出口
８                吸込口
９                係合孔
１０              ブラケット
１１              係合爪
１２              棚板
１３              棚板
１４              仕切板
１４ａ            上部仕切板
１４ｂ            下部仕切板
１５              手摺り部
１６              連結部材
１７              上部部材
１７ａ            水平片
１８              下部部材
１８ａ            水平片
１８ｂ            側片
１９              凹溝
２０              凹溝
２１              溝付きローラ
２１ａ            枢軸
２２              狭幅部
２３              切欠部
２４              切欠き段部
【図１】
2010183931.tif 000003
【図２】
2010183931.tif 000004
【図３】
2010183931.tif 000005
【図４】
2010183931.tif 000006
【図５】
2010183931.tif 000007